(57)【特許請求の範囲】
【請求項１】
セットされた原稿を搬送するとともに、回動する蓋部により開閉可能であって、該蓋部の回動により該原稿が露出される構成の原稿搬送部と、
該原稿搬送部にて搬送される該原稿に光を照射する光照射部と、
該原稿搬送部による搬送路上に、該蓋部の開放時に下を向くように設けられ、該原稿からの反射光に基づいて該原稿のイメージを検出するイメージセンサと、
該イメージセンサからのイメージ検出情報についてスライスレベルと比較し、該イメージ検出情報が該スライスレベルよりも小さいか又は該スライスレベル以下である場合は黒信号を出力する一方、該イメージ検出情報が該スライスレベル以上か又は該スライスレベルよりも大きい場合は白信号を出力することにより、二値化情報に変換する二値化情報変換部と、
該蓋部が閉じている場合には該光照射部からの光を反射し反射した光を該イメージセンサに入射しうる位置であって、該蓋部が開放されている場合には該光照射部からの光の反射光が該イメージセンサに入射されない位置に、該搬送路を挟んで配置された原稿裏当て部と、
該二値化情報変換部からの二値化情報を、画像読取動作中である間は画像読取情報としてデータ処理する一方、それ以外の時には該原稿搬送部の開状態又は閉状態を検出する情報としてデータ処理するデータ処理部とをそなえたことを特徴とする、画像読取装置。
【請求項２】
該二値化情報変換部が、スライスレベルを設定するスライスレベル設定手段と、該スライスレベル設定手段にて設定されたスライスレベルと該イメージセンサからのイメージ検出情報とを比較する比較手段とをそなえ、該比較手段からの比較結果を該二値化情報として出力するように構成されたことを特徴とする、請求項１記載の画像読取装置。
【請求項３】
該スライスレベル設定手段が、予め該スライスレベルが設定されたレジスタをそなえて構成されたことを特徴とする、請求項２記載の画像読取装置。
【請求項４】
該光照射部からの光を該イメージセンサに反射しうる位置に、該搬送路を挟んで配置される原稿裏当て部をそなえるとともに、
該原稿裏当て部の全面が、該光照射部から照射される光が該イメージセンサに反射しうる部材により構成されたことを特徴とする、請求項１記載の画像読取装置。
【請求項５】
該データ処理部が、画像読取動作中であると認識した場合には該二値化情報変換部からの二値化情報について画像読取情報としてデータ処理を行なうように構成されたことを特徴とする、請求項１記載の画像読取装置。
【請求項６】
セットされた原稿を搬送するとともに、蓋部の回動により開閉可能であって、該蓋部の回動により該原稿が露出される構成の原稿搬送部と、該原稿搬送部にて搬送される該原稿に光を照射する光照射部と、該原稿搬送部による搬送路上に、該蓋部の開放時に下を向くように設けられ、該原稿からの反射光に基づいて該原稿のイメージを検出するイメージセンサと、該イメージセンサからのイメージ検出情報について二値化情報に変換する二値化情報変換部と、該蓋部が閉じている場合には該光照射部からの光を反射し反射した光を該イメージセンサに入射しうる位置であって、該蓋部が開放されている場合には該光照射部からの光の反射光が該イメージセンサに入射されない位置に、該搬送路を挟んで配置される原稿裏当て部と、をそなえてなる画像読取装置において、
画像読取時においては、該二値化情報変換部において、該光照射部における光点灯時の該イメージ検出情報と該スライスレベルとを比較し、該イメージ検出情報が該スライスレベルよりも小さいか又は該スライスレベル以下である場合は、該光照射部にて照射された光が入射された原稿の位置における二値化情報として黒信号を出力する一方、該イメージ検出情報が該スライスレベル以上か又は該スライスレベルよりも大きい場合は、該光照射部にて照射された光が入射された原稿の位置における二値化情報として白信号を出力するとともに、
該画像読取時以外の時には、該二値化情報変換部において、該光照射部における光点灯時の該イメージ検出情報と該スライスレベルとを比較し、該イメージ検出情報が該スライスレベルよりも小さいか又は該スライスレベル以下である場合は、該原稿裏当て部からの反射光が該イメージセンサに入射されず該原稿搬送部が開状態にあることを検出する一方、該イメージ検出情報が該スライスレベル以上か又は該スライスレベルよりも大きい場合は、該原稿裏当て部からの反射光が該イメージセンサに入射され該原稿搬送部が閉状態にあると検出することを特徴とする、画像読取装置における原稿搬送部の開閉検出方法。
【発明の詳細な説明】
【０００１】
【発明の属する技術分野】
本発明は、例えばファクシミリ装置やコピー装置として用いて好適な、画像読取装置及びこの画像読取装置における原稿搬送部の開閉検出方法に関する。
【０００２】
【従来の技術】
近年、例えばファクシミリやイメージスキャナのように、原稿に描かれている情報をイメージ情報（画像情報あるいは文字情報を含む）として読み取るために、画像読取装置が開発されている。
かかる画像読取装置においては、例えばホッパ内にセットされた原稿は一枚ずつ取り出されて搬送路上を搬送され、この搬送路上において原稿のイメージ情報の読取動作が行なわれるようになっている。
【０００３】
また、上述の搬送路上に原稿が詰まるいわゆるジャム等が発生した場合には、操作者が原稿を搬送する原稿搬送部として構成する開閉可能な蓋部を開くことにより、搬送路上に詰まったジャム原稿を除去することが行なわれる。
ところで、上述の画像読取装置においては、搬送路上を搬送される原稿に光を照射し、原稿からの反射光に基づいてイメージ情報を読み取っている。従って、イメージ読取動作を行なっている際には外部からの外乱光を遮断する必要があり、上述の蓋部についても、開状態である場合には外乱光を受けるので原稿のイメージ情報を適正に読み取ることができず、閉状態となっていることが必要である。
【０００４】
一般的な画像読取装置においては、上述のイメージ読取時に蓋部が開状態となっていることを防止するため、この蓋部の開閉状態を検出する専用のマイクロスイッチをそなえ、操作者に開閉状態を通知することが行なわれている。
【０００５】
【発明が解決しようとする課題】
しかしながら、上述の一般的な画像読取装置においては、蓋部の開閉状態の検出のための専用のマイクロスイッチをそなえているので、部品点数が多くなり、装置を構成するための不要なコスト増大を招いたり、装置の構成を複雑にするという課題がある。
【０００６】
本発明は、このような課題に鑑み創案されたもので、装置の部品点数を増大させることなく、原稿搬送部の開閉状態を検出できるようにした、画像読取装置及び画像読取装置における原稿搬送部の開閉検出方法を提供することを目的とする。
【０００７】
【課題を解決するための手段】
図１は本発明の原理ブロック図であり、この図１において、１はセットされた原稿２を搬送するとともに、回動する蓋部により開閉可能であって、蓋部の回動により原稿が露出される構成の原稿搬送部である。３は原稿搬送部１にて搬送される原稿２に光を照射する光照射部、４は原稿搬送部１による搬送路上に、蓋部の開放時に下を向くように設けられ、原稿２からの反射光に基づいて原稿２のイメージを検出するイメージセンサである。
【０００８】
さらに、５は二値化情報変換部であり、この二値化情報変換部５は、イメージセンサ４からのイメージ検出情報についてスライスレベルと比較し、該イメージ検出情報が該スライスレベルよりも小さいか又は該スライスレベル以下である場合は黒信号を出力する一方、該イメージ検出情報が該スライスレベル以上か又は該スライスレベルよりも大きい場合は白信号を出力することにより、二値化情報に変換するものである。さらに、該蓋部が閉じている場合には光照射部３からの光を反射し反射した光をイメージセンサ４に入射しうる位置であって、該蓋部が開放されている場合には光照射部３からの光の反射光がイメージセンサ４に入射されない位置に、該搬送路を挟んで配置された原稿裏当て部をそなえている。また、６はデータ処理部であり、このデータ処理部６は、二値化情報変換部５からの二値化情報を、画像読取動作中である間は画像読取情報としてデータ処理する一方、それ以外の時には原稿搬送部１の開状態又は閉状態を検出する情報としてデータ処理するものである。
【０００９】
また、二値化情報変換部５が、スライスレベルを設定するスライスレベル設定手段と、スライスレベル設定手段にて設定されたスライスレベルとイメージセンサ４からのイメージ検出情報とを比較する比較手段とをそなえることにより、この二値化情報変換部５を比較手段からの比較結果を二値化情報として出力するように構成することもできる。
【００１０】
この場合においては、スライスレベル設定手段を、予めスライスレベルが設定されたレジスタをそなえて構成したりすることもできる。
さらに、該原稿裏当て部を、全面が光照射部３から照射される光がイメージセンサ４に反射しうる部材により構成することもできる。
さらに、データ処理部６を、画像読取動作中であると認識した場合には二値化情報変換部５からの二値化情報について画像読取情報としてデータ処理を行なうようにすることもできる。
【００１１】
また、本発明の画像読取装置における原稿搬送部の開閉検出方法は、セットされた原稿を搬送するとともに、蓋部の回動により開閉可能であって、該蓋部の回動により該原稿が露出される構成の原稿搬送部と、該原稿搬送部にて搬送される該原稿に光を照射する光照射部と、該原稿搬送部による搬送路上に、該蓋部の開放時に下を向くように設けられ、該原稿からの反射光に基づいて該原稿のイメージを検出するイメージセンサと、該イメージセンサからのイメージ検出情報について二値化情報に変換する二値化情報変換部と、該蓋部が閉じている場合には該光照射部からの光を反射し反射した光を該イメージセンサに入射しうる位置であって、該蓋部が開放されている場合には該光照射部からの光の反射光が該イメージセンサに入射されない位置に、該搬送路を挟んで配置される原稿裏当て部と、をそなえてなる画像読取装置において、画像読取時においては、該二値化情報変換部において、該光照射部における光点灯時の該イメージ検出情報と該スライスレベルとを比較し、該イメージ検出情報が該スライスレベルよりも小さいか又は該スライスレベル以下である場合は、該光照射部にて照射された光が入射された原稿の位置における二値化情報として黒信号を出力する一方、該イメージ検出情報が該スライスレベル以上か又は該スライスレベルよりも大きい場合は、該光照射部にて照射された光が入射された原稿の位置における二値化情報として白信号を出力するとともに、該画像読取時以外の時には、該二値化情報変換部において、該光照射部における光点灯時の該イメージ検出情報と該スライスレベルとを比較し、該イメージ検出情報が該スライスレベルよりも小さいか又は該スライスレベル以下である場合は、該原稿裏当て部からの反射光が該イメージセンサに入射されず該原稿搬送部が開状態にあることを検出する一方、該イメージ検出情報が該スライスレベル以上か又は該スライスレベルよりも大きい場合は、該原稿裏当て部からの反射光が該イメージセンサに入射され該原稿搬送部が閉状態にあると検出することを特徴としている。
【００１２】
【発明の実施の形態】
（ａ）第１実施形態の説明
図２，図４及び図５は本実施形態にかかる画像読取装置を示す模式的斜視図、図３は本実施形態にかかる画像読取装置を示す模式的側断面図、図６は本実施形態にかかる画像読取装置の要部を示すブロック図である。
【００１３】
ここで、図２，図３において、３２はテーブルであり、このテーブル３２は、画像読取装置１０の外部にそなえられた開閉スイッチ３１（図３においては図示せず）を押下することにより、図４に示すように外部にスライドして引き出されるようになっており、原稿搬送部１１をそなえるとともに、イメージ情報（画像情報）を読み取るための原稿１２をセットする給紙ホッパ３３をそなえている。
【００１４】
また、図３において、原稿搬送部１１は給紙ホッパ３３にセットされた原稿１２を搬送路１１Ａを介して搬送するものであり、この搬送路１１Ａの途中において、繰り出しローラ(PR;Pick Rollers）３５，分離ローラ(SR;Separation Roller)３６，搬送ローラ(FR1,FR3;Feed Rollers)３７，３９，イメージ検出部４１，４１−１及び原稿裏当て部としての搬送ローラ(FR2;Feed Rollers)１５，１５−１が設けられている。
【００１５】
ここで、イメージ検出部４１は、原稿搬送部１１における搬送路１１Ａ上に設けられ、搬送路１１Ａ上の原稿１２の表側面のイメージを検出するためのものであって、詳細には後述の図６に示すように、原稿搬送部１１にて搬送される原稿１２に光を照射する光照射部としての照明部１３と、原稿１２からの反射光に基づいて原稿１２のイメージを検出するイメージセンサ１４とをそなえている。
【００１６】
同様に、イメージ検出部４１−１は、原稿搬送部１１における搬送路１１Ａ上に設けられ、搬送路１１Ａ上の原稿１２の裏側面のイメージを検出するためのものであって、詳細には上述のイメージ検出部４１と同様に、原稿搬送部１１にて搬送される原稿１２に光を照射する照明部１３と、原稿１２からの反射光に基づいて原稿１２のイメージを検出するイメージセンサ１４とをそなえている。
【００１７】
なお、上述の照明部１３は、装置の制御モードに従って適宜点灯／消灯制御されるようになっている。
さらに、繰り出しローラ３５は、給紙ホッパ３３にセットされた原稿１２を一枚毎に繰り出すものである。例えば繰り出しローラ３５が原稿１２に接するように下降して、回転することにより１枚の原稿１２の繰り出しを行なう。その後、繰り出しローラ３５は原稿１２から離れるように上昇する（図３における点線参照）ことが繰り返し行なわれることにより、原稿１２が１枚毎に繰り出されるようになっている。
【００１８】
また、分離ローラ３６は、繰り出しローラ３５から繰り出された原稿１２について、１枚の原稿１２のみを後段の搬送ローラ３７に繰り出すためのものであり、例えば摩擦パッドにより構成されている。
さらに、搬送ローラ３７は、分離ローラ３６を構成する摩擦パッドの負荷反力以上の搬送力を発生し、読取開始センサ（図示せず）からの送り精度を確保するものである。
【００１９】
また、原稿裏当て部としての搬送ローラ１５は、イメージ検出部４１を通過する原稿１２の送り精度を確保する白色ローラであって、イメージ検出部４１に対して、照明部１３からの光をイメージセンサ１４に反射しうる位置に、搬送路を挟んで配置されるようになっている。
また、搬送ローラ３９はテーブル３２の最終ローラであって、テーブル３２が図４に示すように外部にスライドして引き出されている場合には、搬送後の原稿１２を外部に排出するものである。
【００２０】
また、原稿裏当て部としての搬送ローラ１５−１は、イメージ検出部４１−１に対して、照明部１３からの光を照射される搬送路１１Ａ上の原稿１２の裏側位置に設けられ、イメージ検出部４１−１を通過する原稿１２の送り精度を確保する白色ローラであって、照明部１３にて原稿の領域を外れると、この搬送ローラ１５−１にて光が反射されて、反射光はイメージセンサ１４に入射されるようになっている。
【００２１】
なお、搬送ローラ１５−１は、図２に示すようにテーブル３２が画像読取装置１０内部に収納されている場合には、搬送ローラ３９からの原稿１２について後段のスタッカ４０へ排出される最終ローラとしての機能を有している。
ところで、テーブル３２を構成する原稿搬送部１１は、図４に示すように、搬送路１１Ａをカバーする蓋部３４をそなえており、この蓋部３４は、操作者の手動操作によって、図５に示すようにテーブル３２のスライド方向の図示しない軸部を中心として回動して開くようになっている。
【００２２】
特に、蓋部３４を開くことにより、操作者による搬送路１１Ａ上の保守，点検を行なうことができる。例えば、搬送路１１Ａ上において紙詰まり（いわゆるジャム）等が発生した場合に、操作者が蓋部３４を手動で開くことにより、搬送路１１Ａ上に詰まったジャム原稿を除去することができるのである。
なお、図５において、３８はＰａｄ  ＡＳＹである。
【００２３】
また、本実施形態にかかる画像読取装置１０における画像読取態様及び蓋部３４の開閉検出態様に着目すると、図６に示すような構成を有している。
ここで、この図６において、照明部１３は原稿搬送部１１にて搬送される該原稿に光を照射する光照射部としての機能を有するものであり、抵抗１３ａ，１３ｂトランジスタ１３ｃ，オープンコレクタゲート１３ｄ及び照明用ＬＥＤ１３ｅにより構成されている。
【００２４】
さらに、イメージセンサ１４は、原稿搬送部１１による搬送路１１Ａ上に設けられ、原稿１２からの反射光に基づいて原稿のイメージを検出するものであって、検出されたイメージ情報（ビデオ信号）はアナログ電気信号として出力されるようになっている。
また、１６はイメージセンサ１４からのイメージ検出情報を増幅するアンプであり、１７はアンプ１６にて増幅されたイメージ検出情報としてのアナログ電気信号についてディジタル信号に変換するＡ／Ｄ変換部である。
【００２５】
さらに、１８はマグニチュードコンパレータであり、このマグニチュードコンパレータ１８は、イメージセンサ１４からのイメージ検出情報を二値化情報に変換すべく、Ａ／Ｄ変換部１７からのディジタル信号のイメージ検出情報のレベル（Ａ）と後述のレジスタ１９からのディジタル信号のスライスレベル（Ｂ）とを比較するものであり、比較結果を二値化情報としてＭＰＵ２０に出力するようになっている。
【００２６】
従って、マグニチュードコンパレータ１８は、レジスタ１９にて設定されたスライスレベルとイメージセンサ１４からのイメージ検出情報とを比較する比較手段としての機能を有する一方、レジスタ１９は、ＭＰＵ２０により予めスライスレベルを設定しておくスライスレベル設定手段としての機能を有している。
即ち、上述のマグニチュードコンパレータ１８及びレジスタ１９により、イメージセンサ１４からのイメージ検出情報について二値化情報に変換する二値化情報変換部が構成されるようになっている。
【００２７】
また、ＭＰＵ２０は、画像読取装置１０全体を統括制御するものであり、上述のレジスタ１９におけるスライスレベルを設定する一方、マグニチュードコンパレータ１８からの二値化情報について、画像読取時においては画像読取情報として使用する一方、それ以外の時には原稿搬送部１１の開閉状態を検出する情報として使用するデータ処理部としての機能を有している。
【００２８】
換言すれば、ＭＰＵ２０は、画像読取時においてはマグニチュードコンパレータ１８からの二値化情報に基づいて画像読取情報を生成する一方、それ以外の時には原稿搬送部１１の開閉状態を検出する情報として使用するのである。
具体的には、操作者により画像読取を行なうための図示しないスタートボタンが押下されることにより画像読取動作が開始すると、ＭＰＵ２０では、当該画像読取動作が終了するまでフラグがセットされることにより、画像読取動作中である旨を認識することができる。
【００２９】
これにより、ＭＰＵ２０では、画像読取動作中である旨のフラグが立っている間は、マグニチュードコンパレータ１８からの二値化情報を画像読取情報としてデータ処理する一方、フラグが立っていない間は原稿搬送部１１の開閉状態検出情報としてデータ処理することができる。
即ち、原稿搬送部１１が開いた場合には、イメージ検出部４１のイメージセンサ１４の視野は原稿裏当て部としての搬送ローラ１５（１５−１）から外れ、反射する光がなくなるために、「黒」データの検出情報と同様の検出情報が得られる。これにより、ＭＰＵ２０は、画像読取時以外に、マグニチュードコンパレータ１８から「黒」データの検出情報を入力された場合には、原稿搬送部１１が開いていると認識できるようになっているのである。
【００３０】
上述の構成により、本発明の第１実施形態にかかる画像読取装置１０の動作を、図７に示すフローチャートを用いて以下に説明する。
即ち、操作者により画像読取を行なうための図示しないスタートボタンが押下されることにより画像読取動作が開始すると、当該画像読取動作が終了するまで、ＭＰＵ２０では画像読取動作中である旨のフラグが立っており、その間は蓋部３４の開閉検出動作は行なわれない（ステップＡ１のＹＥＳルート）。
【００３１】
ここで、画像読取装置１０において画像読取動作を行なう際には、原稿搬送部１１では、給紙ホッパ３３にセットされた原稿１２を一枚ずつ搬送する一方、イメージセンサ１４において、照明部１３から搬送中の原稿１２に対して照射される光の反射光を入射され、この入射された反射光の強度に基づいたイメージ検出情報としてのアナログ信号を出力する。
【００３２】
続いて、イメージセンサ１４からのイメージ検出情報としてのアナログ信号をアンプ１６にて増幅し、Ａ／Ｄ変換部１７にてディジタル信号に変換した後に、マグニチュードコンパレータ１８にて二値化情報に変換する。
即ち、マグニチュードコンパレータ１８では、Ａ／Ｄ変換部１７からのディジタル信号のイメージ検出情報のレベル（Ａ）とレジスタ１９にて設定されたスライスレベル（Ｂ）とを比較し、イメージ検出情報がスライスレベルよりも大きい場合は、照明部１３にて照射された光が入射された原稿１２上の位置のイメージを「白」と検出し、二値化情報として白信号を出力する。
【００３３】
また、イメージ検出情報がスライスレベルよりも小さい場合は、照明部１３にて照射された光が入射された原稿１２上の位置のイメージは「黒」であり、二値化情報として黒信号を出力する。
このようにして、ＭＰＵ２０では、マグニチュードコンパレータ１８から、原稿１２上の全面にわたる二値化情報を入力されることにより、原稿１２の画像読取情報を生成，認識することができる。
【００３４】
その後、画像読取動作が終了すると、ＭＰＵ２０においては画像読取動作中である旨のフラグがリセットされ、以下に示すように蓋部３４、即ち原稿搬送部１１の開閉検出動作が行なわれる（ステップＡ１のＮＯルート）。
ここで、例えば図３に示すイメージセンサ１４のように、原稿搬送部１１における蓋部３４を開放した際に、イメージセンサ１４が下を向くように設けられている場合は（ステップＡ２の下ルート）、蓋部３４の開閉は、照明部１３が点灯中においてのマグニチュードコンパレータ１８からの二値化情報に基づいて検出されるようになっている。
【００３５】
即ち、ＭＰＵ２０では、照明部１３を点灯制御するとともに（ステップＡ３）、レジスタ１９にスライスレベルを設定する（ステップＡ４）。マグニチュードコンパレータ１８では、Ａ／Ｄ変換部１７からのディジタル信号のイメージ検出情報とレジスタ１９からのスライスレベルとを比較し（ステップＡ５）、この比較結果を蓋部３４の開閉検出情報（二値化情報）として出力する。
【００３６】
具体的には、マグニチュードコンパレータ１８では、Ａ／Ｄ変換部１７からの原稿１２の全面にわたるイメージ検出情報が、レジスタ１９からのスライスレベルよりも小さい場合は、原稿搬送部１１を構成する蓋部３４が開状態である旨の検出情報を二値化情報として出力する一方（ステップＡ５のＹＥＳルートからステップＡ６）、イメージ検出情報がスライスレベル以上である場合は、蓋部３４が閉状態にある旨の検出情報を二値化情報として出力する（ステップＡ５のＮＯルートからステップＡ７）。
【００３７】
換言すれば、蓋部３４が閉じている場合には、原稿裏当て部１５がイメージセンサ１４から見えるので、二値化信号としては白信号（イメージ検出情報≧スライスレベル）となるはずであり、開いている場合はイメージセンサ１４に反射光は入射されないので二値化信号としては黒信号（イメージ検出情報＜スライスレベル）となる。
【００３８】
これにより、ＭＰＵ２０では、マグニチュードコンパレータ１８からの二値化信号として白信号が入力された場合には、この二値化信号は原稿搬送部１１の閉状態である旨の検出信号として使用される一方、黒信号が入力された場合には、この二値化信号は原稿搬送部１１の開状態である旨の検出信号として使用される。
【００３９】
また、例えば図３に示すイメージセンサ１４Ａのように、原稿搬送部１１における蓋部３４を開放した際に、イメージセンサ１４が上を向くように設けられている場合は（ステップＡ２の上ルート）、蓋部３４の開閉は、照明部１３が消灯中においてのマグニチュードコンパレータ１８からの二値化情報に基づいて検出されるようになっている。
即ち、ＭＰＵ２０では、照明部１３を消灯制御するとともに（ステップＡ８）、レジスタ１９にスライスレベルを設定する（ステップＡ９）。マグニチュードコンパレータ１８では、Ａ／Ｄ変換部１７からのディジタル信号のイメージ検出情報とレジスタ１９からのスライスレベルとを比較し（ステップＡ１０）、この比較結果を蓋部３４の開閉検出情報（二値化情報）として出力する。
【００４０】
具体的には、マグニチュードコンパレータ１８では、Ａ／Ｄ変換部１７からの原稿１２の全面にわたるイメージ検出情報が、スライスレベル以下か又はスライスレベルよりも大きい場合は、蓋部３４が開状態にある旨の検出情報を二値化情報として出力する（ステップＡ１０のＹＥＳルートからステップＡ１１）一方、イメージ検出情報が、レジスタ１９からのスライスレベル以下である場合は、原稿搬送部１１を構成する蓋部３４が閉状態である旨の検出情報を二値化情報として出力する（ステップＡ１０のＮＯルートからステップＡ１２）。
【００４１】
換言すれば、照明部１３は消灯しているので、蓋部３４が閉じている場合には原稿裏当て部１５がイメージセンサ１４からは見えず、二値化信号としては黒信号（イメージ検出情報＜スライスレベル）が出力され、開いている場合はイメージセンサ１４には外部からの光が入射されるので二値化信号としては白信号（イメージ検出情報≧スライスレベル）が出力される。
【００４２】
これにより、ＭＰＵ２０では、マグニチュードコンパレータ１８からの二値化信号として黒信号が入力された場合には、この二値化信号は原稿搬送部１１の閉状態である旨の検出信号として使用される一方、白信号が入力された場合には、この二値化信号は原稿搬送部１１の開状態である旨の検出信号として使用される。
【００４３】
このように、本発明の第１実施形態にかかる画像読取装置１０によれば、ＭＰＵ２０において、マグニチュードコンパレータ１８からの二値化情報について、画像読取時においては画像読取情報として使用する一方、それ以外の時には原稿搬送部１１の開閉状態を検出する情報として使用することができるので、装置の部品点数を増大させることなく、画像処理用の既存回路だけで原稿搬送部１１の開閉状態を検出でき、装置を構成するための不要なコスト増大を抑制し、装置のハードウェア構成を容易とすることができる利点がある。
【００４４】
なお、上述の本実施形態においては、イメージ検出部４１−１及び搬送ローラ１５−１をそなえているが、これらについては適宜省略して構成することもでき、このようにしても上述したような利点を得ることはいうまでもない。
（ｂ）第２実施形態の説明
図８は本発明の第２実施形態にかかる画像読取装置における画像読取態様及び蓋部の開閉検出態様に着目したブロック図である。本実施形態にかかる画像読取装置１０Ａは、前述の第１実施形態におけるものに比して、画像読取態様及び蓋部３４の開閉検出態様が異なり、その他の構成については基本的に同様である。
【００４５】
即ち、本実施形態にかかる画像読取装置１０においても、前述の図２〜図５に示すような構成を有している。なお、図８中、図２〜図６と同一の符号は、同様の部分を示している。
ここで、２１はピークホールド回路であり、このピークホールド回路２１は、イメージセンサ１４から最後に入力された検出情報におけるピーク値を保持するピーク値保持手段としての機能を有するものである。具体的には、最後の画像情報を読み取った時のアナログ信号のピーク値をホールドしておくものである。
【００４６】
さらに、２２は分圧回路であり、この分圧回路２２は、ピークホールド回路２１にて保持されているレベルを分圧する分圧手段としての機能を有している。具体的には、この分圧回路２２は、複数個の抵抗により構成され、ピークホールド回路２１からのアナログ信号のピーク値を分圧して出力するものであり、この分圧結果をスライスレベルとして設定するようになっている。
【００４７】
また、２３はアナログコンパレータであり、このアナログコンパレータ２３は、アンプ１６からのイメージ検出情報としてのアナログ信号レベルと、分圧回路２２からのスライスレベルとしてのアナログ信号レベルとを比較するものであり、比較結果を二値化情報としてＭＰＵ２０に出力するようになっている。
従って、アナログコンパレータ２３は、分圧回路２２にて設定されたスライスレベルとイメージセンサ１４からのイメージ検出情報とを比較する比較手段としての機能を有する一方、ピークホールド回路２１及び分圧回路２２により、スライスレベルを設定しておくスライスレベル設定手段（即ち、二値化情報変換部）としての機能を有している。
【００４８】
上述の構成により、本発明の第２実施形態にかかる画像読取装置１０Ａの動作を、図９に示すフローチャートを用いて以下に説明する。
即ち、操作者により画像読取を行なうための図示しないスタートボタンが押下されることにより、イメージセンサ１４からのイメージ検出検出情報を用いた画像読取動作が開始される。
【００４９】
具体的には、アナログコンパレータ２３において、分圧回路２２からの、最後に入力されたイメージ検出情報のピーク値の分圧信号を入力されるとともに、アンプ１６からの、イメージセンサ１４にて検出されたイメージ検出情報（現在搬送されている原稿１２の画像情報）を入力され、これらの情報のレベルを比較することにより、画像読取情報としての二値化情報を出力する。
【００５０】
即ち、この画像読取動作が開始されると、当該画像読取動作が終了するまで、ＭＰＵ２０では画像読取動作中である旨のフラグが立っており、アナログコンパレータ２３からの二値化情報は画像読取情報として使用されるのである。
例えば、現在搬送されている原稿１２のイメージ検出情報が、分圧回路２２からの分圧信号よりも小さいか又は分圧信号以下である場合は、照明部１３にて照射された光が入射された原稿１２上の位置のイメージが「黒」である旨の二値化信号が出力され、現在のイメージ検出情報が分圧回路２２からの分圧信号以上か又は大きい場合は、「白」である旨の二値化信号が出力される。
【００５１】
さらに、ＭＰＵ２０において画像読取動作中である旨のフラグが立っている間は蓋部３４の開閉検出動作は行なわれず、ピークホールド回路２１にて保持されているピーク値の更新処理が行なわれる（ステップＢ１のＹＥＳルート）。
即ち、イメージセンサ１４からの原稿１２のイメージ検出情報としてのアナログ信号はアンプ１６にて増幅され、増幅されたイメージ検出情報（ビデオ信号）としてアナログコンパレータ２３及びピークホールド回路２１に出力される。
【００５２】
ピークホールド回路２１では、イメージセンサ１４からのビデオ信号に基づいて、最後の画像情報を読み取った時のアナログ信号のピーク値をホールドしておき、分圧回路２２では、ピークホールド回路２１にて保持されているレベルを分圧してアナログコンパレータ２３に出力する（ステップＢ２）。
アナログコンパレータ２３では、アンプ１６からのアナログ信号のイメージ検出情報のレベル（Ａ）と分圧回路２２からの分圧信号（Ｂ）とを比較し、イメージ検出情報が分圧信号よりも大きい場合は、照明部１３にて照射された光が入射された原稿１２上の位置のイメージを「白」と検出し、二値化情報として白信号を出力する。
【００５３】
また、イメージ検出情報がスライスレベルよりも小さい場合は、照明部１３にて照射された光が入射された原稿１２上の位置のイメージは「黒」であり、二値化情報として黒信号を出力する。
このようにして、ＭＰＵ２０では、アナログコンパレータ２３から、原稿１２上の全面にわたる二値化情報を入力されることにより、原稿１２の画像読取情報として認識することができる。
【００５４】
その後、原稿１２における読取の最終ラインに達し、画像読取動作が終了すると（ステップＢ３のＹＥＳルート）、ピークホールド回路２１におけるピーク値の更新動作が停止されるとともに（ステップＢ４）、ＭＰＵ２０においては画像読取動作中である旨のフラグがリセットされ、以下に示すように蓋部３４、即ち原稿搬送部１１の開閉検出動作が行なわれる（ステップＢ５）。
【００５５】
即ち、アナログコンパレータ２３において、アンプ１６からの現在のイメージ検出情報としてのアナログ信号のレベル（Ａ）と、分圧回路２２からの、前段の画像読取動作時に更新されたピークホールド値についての分圧信号（Ｂ）とを比較し、イメージ検出情報が分圧信号よりも小さい場合は、蓋部３４、即ち原稿搬送部１１は開状態であり、その旨の二値化信号がＭＰＵ２０に出力される（ステップＢ５のＹＥＳルートからステップＢ６）。
【００５６】
また、イメージ検出情報のレベルが分圧信号以上である場合は、蓋部３４、即ち原稿搬送部１１は閉状態であり、その旨の二値化信号がＭＰＵ２０に出力される（ステップＢ５のＮＯルートからステップＢ７）。
このように、本発明の第２実施形態にかかる画像読取装置１０Ａによれば、ピーク検出回路２１及び分圧回路２２をそなえ、分圧回路２２からの出力を、アナログコンパレータ２３にて比較を行なうためのスライスレベルとして設定することにより、アナログコンパレータ２３からの二値化情報について、画像読取時においては画像読取情報として使用する一方、それ以外の時には原稿搬送部１１の開閉状態を検出する情報として使用することができるので、前述の第１実施形態の場合と同様に、装置の部品点数を増大させることなく、画像処理用の既存回路だけで原稿搬送部１１の開閉状態を検出でき、装置を構成するための不要なコスト増大を抑制し、装置のハードウェア構成を容易とすることができる利点がある。
【００５７】
なお、上述の本実施形態においては、アナログコンパレータ２３をそなえ、このアナログコンパレータ２３では、アナログ信号としてのスライスレベル信号及びイメージ検出情報レベルを比較しているが、これに限定されず、例えばディジタル信号としてのスライスレベル信号及びイメージ検出情報レベルを比較して、この比較結果に基づいて原稿搬送部１１の開閉を検出することもでき、このようにしても上述の本実施形態と同様の利点を得ることができる。
【００５８】
この場合においては、例えば図１０に示す画像読取装置１０Ｂのように、アンプ１６の後段にアナログ信号をディジタル信号に変換するＡ／Ｄ変換部１７をそなえるとともに、ピークホールド回路２１，分圧回路２２及びアナログコンパレータ２３のかわりに、ピークホールドレジスタ２４，ディバイダ２５及び前述の第１実施形態におけるものと同様のマグニチュードコンパレータ１８をそなえて構成することができる。
【００５９】
即ち、ピーク値保持手段としてのピークホールドレジスタ２４では、Ａ／Ｄ変換部１７からのディジタル信号としてのピーク値を保持しておき、分圧手段としてのディバイダ２５では、例えば上位のビット情報（例えば１ビット）を廃棄する等の処理を行なうことにより得られたビット情報を、スライスレベルとしてマグニチュードコンパレータ１８に出力する。
【００６０】
これにより、画像読取時以外の時においては、マグニチュードコンパレータ１８では、Ａ／Ｄ変換部１７からのディジタル信号のイメージ検出情報とディバイダ２５からのディジタル信号のスライスレベルとを比較する。ＭＰＵ２０では、マグニチュードコンパレータ１８からの比較結果としての二値化信号を、原稿搬送部１１の開閉情報として使用することができる。
【００６１】
（ｃ）第３実施形態の説明
図１１は本発明の第３実施形態にかかる画像読取装置における画像読取態様及び蓋部の開閉検出態様に着目したブロック図である。本実施形態にかかる画像読取装置１０Ｃは、前述の第１実施形態又は第２実施形態におけるものに比して、画像読取態様及び蓋部３４の開閉検出態様が異なり、その他の構成については基本的に同様である。
【００６２】
即ち、本実施形態にかかる画像読取装置１０Ｃにおいても、前述の図２〜図５に示すような構成を有している。なお、図１１中、図２〜図６と同一の符号は、同様の部分を示している。
ここで、２１ａはピークホールド回路であり、このピークホールド回路２１ａは、照明部１３にて光を照射している間（照明部１３が点灯状態にある間）におけるイメージセンサ１４からの検出情報のピーク値を保持する光照射時ピーク値保持手段としての機能を有するとともに、照明部１３にて光を照射していない間におけるイメージセンサ１４からのイメージ検出情報のピーク値をも保持するようになっている。
【００６３】
なお、ピークホールド回路２１ａにおいては、照明部１３における点灯／消灯状態を示すＬＵＭＰＯＮ信号としてのビット情報（例えば点灯状態では‘１’、消灯状態では‘０’となるようなビット情報）を入力され、これにより、ピークホールド回路２１ａでは、照明部１３の点灯／消灯状態におけるピーク値を保持することができる。
【００６４】
また、２３ａはアナログコンパレータであり、このアナログコンパレータ２３ａは、ピークホールド回路２１ａにて保持されているピーク値情報と照明部１３にて光を照射していない間におけるイメージセンサ１４からの検出情報とを比較するピーク値比較手段としての機能を有するものであり、このアナログコンパレータ２３ａにおける比較結果を二値化情報として出力するようになっている。
【００６５】
具体的には、ピークホールド回路２１ａからの、照明部１３にて光を照射している間におけるピーク値情報（Ｂ）と、照明部１３にて光を照射していない間におけるイメージセンサ１４からの検出情報のピーク値（Ａ）とを比較する。
これらのピーク値レベル（Ａ）と（Ｂ）との差が大きい（Ｂ＞Ａ）場合には、原稿裏当て部としての搬送ローラ１５からの反射光がイメージセンサ１４に入射されており、アナログコンパレータ２３ａでは原稿搬送部１１が閉状態である旨の二値化情報を出力する。
【００６６】
また、これらのピーク値レベル（Ａ）と（Ｂ）との差が殆どない場合には、光照射時においても反射光がイメージセンサ１４では反射光が入射されておらず、アナログコンパレータ２３ａでは原稿搬送部１１が開状態である旨の二値化情報を出力する。
即ち、上述のピークホールド回路２１ａ及びアナログコンパレータ２３ａにより、イメージセンサ１４からのイメージ検出情報を二値化情報に変換する二値化情報変換手段が構成される。
【００６７】
上述の構成により、本発明の第３実施形態にかかる画像読取装置１０Ｃの動作を、図１２に示すフローチャートを用いて以下に説明する。
即ち、操作者により画像読取を行なうための図示しないスタートボタンが押下されることにより、イメージセンサ１４からのイメージ検出検出情報を用いた画像読取動作が開始される。
【００６８】
具体的には、アナログコンパレータ２３ａにおいては、ピークホールド回路２１ａから、前回の読取動作時のイメージ検出情報（照明部１３の点灯時における、前回搬送された原稿１２の画像情報）におけるピーク値を入力されるとともに、アンプ１６からの、イメージセンサ１４にて検出されたイメージ検出情報（現在搬送されている原稿１２の画像情報）を入力され、これらの情報のレベルを比較することにより、画像読取情報としての二値化情報を出力する。
【００６９】
即ち、この画像読取動作が開始されると、当該画像読取動作が終了するまで、ＭＰＵ２０では画像読取動作中である旨のフラグが立っており、アナログコンパレータ２３ａからの二値化情報は画像読取情報として使用されるのである。
例えば、現在搬送されている原稿１２のイメージ検出情報と、ピークホールド２１ａからのピーク値との差が大きい（イメージ検出情報がピーク値よりも小さい）場合は、照明部１３にて照射された光が入射された原稿１２上の位置のイメージが「黒」である旨の二値化信号が出力され、イメージ検出情報がピーク値とほぼ等しい場合は、「白」である旨の二値化信号が出力される。
【００７０】
また、この画像読取動作が開始されると（ステップＣ１のＹＥＳルート）、当該画像読取動作が終了するまで、ＭＰＵ２０では画像読取動作中である旨のフラグが立っており、その間は蓋部３４の開閉検出動作は行なわれず、ピークホールド回路２１ａにて保持されている照明部１３にて光を照射している間（点灯状態にある間，ＬＵＭＰＯＮ信号：‘１’）におけるピーク値の更新処理が行なわれる（ステップＣ２，ステップＣ３）。
【００７１】
即ち、イメージセンサ１４からの原稿１２のイメージ検出情報としてのアナログ信号はアンプ１６にて増幅され、増幅されたイメージ検出情報（ビデオ信号）としてピークホールド回路２１ａに出力される。
ピークホールド回路２１ａでは、画像読取動作が終了して照明部１３が消灯状態（ＬＵＭＰＯＮ信号：‘０’）となるまで、点灯状態におけるピーク値の更新処理が行なわれる（ステップＣ４）。その後、ピーク検出回路２１ａでは、消灯状態におけるピーク値についても保持し、上述の点灯状態におけるピーク値とともにアナログコンパレータ２３ａに出力する（ステップＣ５）。
【００７２】
アナログコンパレータ２３では、点灯時のピーク値が消灯時のピーク値よりも大幅に大きい場合には、原稿裏当て部としての搬送ローラ１５からの反射光がイメージセンサ１４に入射されており、アナログコンパレータ２３ａでは原稿搬送部１１が閉状態である旨の二値化情報を出力する（ステップＣ６のＮＯルートからステップＣ８）。
また、点灯時のピーク値が消灯時のピーク値とほぼ同じ値となる場合には、光照射時においても搬送ローラ１５からの反射光がイメージセンサ１４に入射されておらず、アナログコンパレータ２３ａでは原稿搬送部１１が開状態である旨の二値化情報を出力する（ステップＣ６のＹＥＳルートからステップＣ７）。
【００７３】
このように、本発明の第３実施形態にかかる画像読取装置１０Ｃによれば、ピークホールド回路１４とアナログコンパレータ２３ａとをそなえ、アナログコンパレータ２３ａにおける比較結果を二値化情報として出力することにより、アナログコンパレータ２３ａからの二値化情報について、画像読取時においては画像読取情報として使用する一方、それ以外の時には原稿搬送部１１の開閉状態を検出する情報として使用することができるので、前述の第１，第２実施形態の場合と同様に、装置の部品点数を増大させることなく、画像処理用の既存回路だけで原稿搬送部１１の開閉状態を検出でき、装置を構成するための不要なコスト増大を抑制し、装置のハードウェア構成を容易とすることができる利点がある。
【００７４】
（ｄ）第４実施形態の説明
図１３は本発明の第４実施形態にかかる画像読取装置における画像読取態様及び蓋部の開閉検出態様に着目したブロック図である。本実施形態にかかる画像読取装置１０Ｄは、前述の第１実施形態におけるものに比して、画像読取態様が同様であるが、原稿裏当て部としての搬送ローラ１５Ａの構成及び蓋部３４の開閉検出態様が異なり、その他の構成については基本的に同様である。
【００７５】
なお、本実施形態にかかる画像読取装置１０Ｄにおいても、前述の図２〜図５に示すような構成を有している。なお、図１３中、図２〜図６と同一の符号は、同様の部分を示している。
ところで、本実施形態にかかる画像読取装置１０Ｄにおいては、前述の各実施形態におけるもの（符号１５参照）とは異なる原稿裏当て部としての搬送ローラ１５Ａをそなえるとともに、ＡＮＤ回路２６及びフリップフロップ２７をそなえている。
【００７６】
ここで、搬送ローラ１５Ａは、照明部１３からの光を入射しうる面の外周領域を、光がイメージセンサ１４に反射しうる部材により構成され、この外周領域の内側領域を、光がイメージセンサ１４に反射しない部材により構成されている。即ち、上述の搬送ローラ１５Ａとしては、例えば黒色又は鏡面のローラを用いて、原稿サイズの幅の間隔を空けた両端に白色テープを貼布することにより、上述の外周領域及び内側領域が形成されるようになっている。
【００７７】
これにより、照明部１３にて照射した光が原稿１２の領域を外れると、搬送ローラ１５Ａの外周領域にて光が反射されて、反射光はイメージセンサ１４に入射されるようになっている。
従って、原稿搬送部１１が閉じている場合において、原稿１２が搬送されていない状態（搬送ローラ１５Ａのイメージを読み取った場合）においては、マグニチュードコンパレータ１８では、上述の外周領域の内側領域は「黒」（Ａ≦Ｂ）である旨が検出される一方、外周領域は「白」（Ａ＞Ｂ）である旨が検出されるようになっている。
【００７８】
また、ＡＮＤ回路２６は、マグニチュードコンパレータ１８からの二値化信号と、外部から設定されるマークゲート信号とについてＡＮＤ演算を施すものである。
なお、ＡＮＤ回路２６に入力されるマークゲート信号としては、ＭＰＵ２０からのイネーブル信号ＥＮに基づいて、画像読取装置１０Ｄにおいて画像読取動作を行なっていない時のみイネーブル状態となり、外周領域のイメージが検出される範囲内では‘Ｈ’レベル信号となり、外周領域の内側領域では‘Ｌ’レベル信号となるようなディジタル信号を用いられるようになっている。
【００７９】
これにより、ＡＮＤ回路２６では、原稿１２を搬送していない状態において、イメージセンサ１４にて搬送ローラ１５Ａの外周領域を読み取った場合にのみイメージを「白」である旨の信号を出力することができる。
さらに、フリップフロップ２７は、ＡＮＤ回路２６からの演算結果に基づいて、演算結果をタイミング情報として、演算結果が‘Ｌ’レベル信号から‘Ｈ’レベル信号となった時に、‘Ｈ’レベル信号を原稿搬送部１１が閉状態である旨の二値化信号として出力するものである。
【００８０】
即ち、ＡＮＤ回路２６からの演算結果が‘Ｌ’レベル信号から‘Ｈ’レベル信号となることにより、搬送ローラ１５Ａの外周領域からの光の反射光がイメージセンサ１４に入射されていることがわかるので、フリップフロップ２７の出力（‘Ｈ’レベル信号）により原稿搬送部１１が閉状態であると検出することができるのである。
【００８１】
なお、ＡＮＤ回路２６からの演算結果が‘Ｌ’レベル信号のままである場合は、搬送ローラ１５Ａの外周領域からの光の反射光がイメージセンサ１４に入射されず、フリップフロップ２７は原稿搬送部１１が開状態である旨の二値化信号（‘Ｌ’レベル信号）を出力するようになっている。
また、画像読取装置１０Ｄが画像読取動作中である場合は、外部から設定されるマークゲート信号はイネーブル状態でなく、マグニチュードコンパレータ１８からの出力された画像読取情報が、そのままＡＮＤ回路２６及びフリップフロップ２７を介してＭＰＵ２０に出力されるようになっている。
【００８２】
なお、ＭＰＵ２０は、前述の第１実施形態におけるものと同様に、レジスタ１９におけるスライスレベルを設定する一方、画像読取時においてはフリップフロップ２７からの二値化情報を画像読取情報として使用する一方、それ以外の時にはＡＮＤ回路２６にイネーブル信号ＥＮを出力することにより、フリップフロップ２７からの出力信号を原稿搬送部１１の開閉状態を検出する情報として使用するデータ処理部としての機能を有している。
【００８３】
従って、上述のマグニチュードコンパレータ１８，レジスタ１９，ＡＮＤ回路２６及びフリップフロップ２７により、イメージセンサからのイメージ検出情報について二値化情報に変換する二値化情報変換部としての機能を有している。
上述の構成により、本発明の第４実施形態にかかる画像読取装置の動作を、図１４に示すフローチャートを用いて以下に説明する。
【００８４】
即ち、操作者により画像読取を行なうための図示しないスタートボタンが押下されることにより、前述の第１実施形態の場合と同様の、イメージセンサ１４からのイメージ検出検出情報を用いた画像読取動作が開始される。なお、この画像読取動作中においては、ＭＰＵ２０では画像読取動作中である旨のフラグが立っており、その間は蓋部３４の開閉検出動作は行なわれない（ステップＤ１のＹＥＳルート）。
【００８５】
ここで、画像読取装置１０Ｄにおいて画像読取動作を行なう際には、原稿搬送部１１では、給紙ホッパ３３にセットされた原稿１２を一枚ずつ搬送する一方、イメージセンサ１４において、照明部１３から搬送中の原稿１２に対して照射される光の反射光を入射され、この入射された反射光の強度に基づいたイメージ検出情報としてのアナログ信号を出力する。
【００８６】
続いて、イメージセンサ１４からのイメージ検出情報としてのアナログ信号をアンプ１６にて増幅し、Ａ／Ｄ変換部１７にてディジタル信号に変換した後に、マグニチュードコンパレータ１８にて二値化情報に変換する。
即ち、マグニチュードコンパレータ１８では、Ａ／Ｄ変換部１７からのディジタル信号のイメージ検出情報のレベル（Ａ）とレジスタ１９にて設定されたスライスレベル（Ｂ）とを比較し、イメージ検出情報がスライスレベルよりも大きい場合は、照明部１３にて照射された光が入射された原稿１２上の位置のイメージを「白」と検出し、二値化情報として白信号を出力する。
【００８７】
また、イメージ検出情報がスライスレベルよりも小さい場合は、照明部１３にて照射された光が入射された原稿１２上の位置のイメージは「黒」であり、二値化情報として黒信号を出力する。
このようにして、ＭＰＵ２０では、マグニチュードコンパレータ１８からＡＮＤ回路２６及びフリップフロップ２７を介することにより、原稿１２上の全面にわたる二値化情報を入力されることにより、原稿１２の画像読取情報を生成，認識することができる。
【００８８】
その後、画像読取動作が終了すると、ＭＰＵ２０においては画像読取動作中である旨のフラグがリセットされ、以下に示すように蓋部３４、即ち原稿搬送部１１の開閉検出動作が行なわれる（ステップＤ１のＮＯルート）。
まず、ＭＰＵ２０により照明部１３を点灯制御するとともに（ステップＤ２）、外部から設定されるマークゲート信号及びレジスタ１９にて設定されるスライスレベル信号をイネーブル状態とする（ステップＤ３，ステップＤ４）。
【００８９】
これにより、ＡＮＤ回路２６では、この時のマグニチュードコンパレータ１８からの二値化信号と外部から設定されるマークゲート信号とのＡＮＤ演算を行なう一方、フリップフロップ２７ではＡＮＤ回路２６からの信号変化に基づいて、原稿搬送部１１の開閉検出情報として出力する。
具体的には、原稿搬送部１１が閉じている場合においては、マグニチュードコンパレータ１８からの二値化信号としては、外周領域の内側領域は「黒」（Ａ≦Ｂ）である旨が検出される一方、外周領域は「白」（Ａ＞Ｂ）である旨の‘Ｈ’レベル信号が検出されるようになっている。
【００９０】
上述したように、マークゲート信号としては、外周領域のイメージが検出される範囲内では‘Ｈ’レベル信号となり、外周領域の内側領域では‘Ｌ’レベル信号となるようなディジタル信号である。これにより、ＡＮＤ回路２６では、原稿搬送部１１が閉じている場合に、イメージセンサ１４にて搬送ローラ１５Ａの外周領域を読み取った場合にのみイメージを「白」である旨の信号（‘Ｈ’レベル信号）を出力することができる。
【００９１】
さらに、フリップフロップ２７は、ＡＮＤ回路２６からの演算結果に基づいて、演算結果をタイミング情報として、演算結果が‘Ｌ’レベル信号から‘Ｈ’レベル信号となった時に、‘Ｈ’レベル信号を出力することにより、原稿搬送部１１が閉状態である旨を通知する。
なお、ＡＮＤ回路２６からの演算結果が‘０’のままである場合は、搬送ローラ１５Ａの外周領域からの光の反射光がイメージセンサ１４に入射されず、フリップフロップ２７は原稿搬送部１１が開状態である旨の二値化信号（‘Ｌ’レベル信号）を出力するようになっている。
【００９２】
換言すれば、ＭＰＵ２０にて検出開始を指示してから１ライン後に、マグニチュードコンパレータ１８からの出力が‘Ｈ’レベル信号となっていなければ、原稿搬送部１１は開いている旨を通知し（ステップＤ５のＹＥＳルートからステップＤ６）、‘Ｈ’レベル信号となっていれば、原稿搬送部１１は閉じている旨を通知するのである（ステップＤ５のＮＯルートからステップＤ７）。
【００９３】
このように、本発明の第４実施形態にかかる画像読取装置１０Ｄにおいても、ＭＰＵ２０においては、フリップフロップ２７からの二値化情報について、画像読取時においては画像読取情報として使用する一方、画像読取時以外の時においては原稿搬送部１１の開閉状態を検出する情報として使用することができるので、装置の部品点数を増大させることなく、画像処理用の既存回路だけで原稿搬送部１１の開閉状態を検出でき、装置を構成するための不要なコスト増大を抑制し、装置のハードウェア構成を容易とすることができる利点がある。
【００９４】
【発明の効果】
以上詳述したように、本発明によれば、データ処理部において、画像読取時においては二値化情報変換部からの二値化情報を画像読取情報として使用する一方、それ以外の時には二値化情報変換部からの二値化情報を原稿搬送部の開閉状態を検出する情報として使用することができるので、装置の部品点数を増大させることなく、画像処理用の既存回路だけで原稿搬送部の開閉状態を検出でき、装置を構成するための不要なコスト増大を抑制し、装置のハードウェア構成を容易とすることができる利点がある。
【図面の簡単な説明】
【図１】本発明の原理ブロック図である。
【図２】本発明の第１実施形態にかかる画像読取装置を示す模式的斜視図である。
【図３】本発明の第１実施形態にかかる画像読取装置を示す模式的側断面図である。
【図４】本発明の第１実施形態にかかる画像読取装置を示す模式的斜視図である。
【図５】本発明の第１実施形態にかかる画像読取装置を示す模式的斜視図である。
【図６】本発明の第１実施形態にかかる画像読取装置の要部を示すブロック図である。
【図７】本発明の第１実施形態にかかる画像読取装置の動作を説明するためのフローチャートである。
【図８】本発明の第２実施形態にかかる画像読取装置の要部を示すブロック図である。
【図９】本発明の第２実施形態にかかる画像読取装置の動作を説明するためのフローチャートである。
【図１０】本発明の第２実施形態の変形例にかかる画像読取装置の要部を示すブロック図である。
【図１１】本発明の第３実施形態にかかる画像読取装置の要部を示すブロック図である。
【図１２】本発明の第３実施形態にかかる画像読取装置の動作を説明するためのフローチャートである。
【図１３】本発明の第４実施形態にかかる画像読取装置の要部を示すブロック図である。
【図１４】本発明の第４実施形態にかかる画像読取装置の動作を説明するためのフローチャートである。
【符号の説明】
１  原稿搬送部
２  原稿
３  光照射部
４  イメージセンサ
５  二値化情報変換部
６  データ処理部
１０，１０Ａ〜１０Ｄ  画像読取装置
１１  原稿搬送部
１１Ａ  搬送路
１２  原稿
１３  照明部（光照射部）
１３ａ，１３ｂ  抵抗
１３ｃ  トランジスタ
１３ｄ  オープンコレクタゲート
１３ｅ  照明用ＬＥＤ
１４  イメージセンサ
１５，１５−１，１５Ａ  搬送ローラ（原稿裏当て部）
１６  アンプ
１７  Ａ／Ｄ変換部
１８  マグニチュードコンパレータ（比較手段，二値化情報変換部）
１９  レジスタ（スライスレベル設定手段，二値化情報変換部）
２０  ＭＰＵ（データ処理部）
２１  ピークホールド回路（ピーク値保持手段）
２１ａ  ピークホールド回路（光照射時ピーク値保持手段）
２２  分圧回路（分圧手段）
２３  アナログコンパレータ（比較手段，二値化情報変換部）
２３ａ  アナログコンパレータ（ピーク値比較手段，二値化情報変換部）
２４  ピークホールドレジスタ
２５  ディバイダ
２６  ＡＮＤ回路（二値化情報変換部）
２７  フリップフロップ（二値化情報変換部）
３１  開閉スイッチ
３２  テーブル
３３  給紙ホッパ
３４  蓋部
３５  繰り出しローラ
３６  分離ローラ
３７，３９  搬送ローラ
３８  Ｐａｄ  ＡＳＹ
４０  スタッカ
４１，４１−１  イメージ検出部
【図１】
0003872701.tif 000002
【図２】
0003872701.tif 000003
【図３】
0003872701.tif 000004
【図４】
0003872701.tif 000005
【図５】
0003872701.tif 000006
【図６】
0003872701.tif 000007
【図７】
0003872701.tif 000008
【図８】
0003872701.tif 000009
【図９】
0003872701.tif 000010
【図１０】
0003872701.tif 000011
【図１１】
0003872701.tif 000012
【図１２】
0003872701.tif 000013
【図１３】
0003872701.tif 000014
【図１４】
0003872701.tif 000015